【手続補正書】
【提出日】平成18年11月9日(2006.11.9)
【手続補正１】
【補正対象書類名】明細書
【補正対象項目名】特許請求の範囲
【補正方法】変更
【補正の内容】
【特許請求の範囲】
【請求項１】
複数のデバイス及び少なくとも１つのプロセッサ備えた複数デバイス筐体をテストする方法であって、
前記複数デバイス筐体を外部通信媒体から分離するため多数の外部通信媒体コネクタをバイパスするように多数のバイパス回路を制御するステップと、
内部プロセッサ上で自己検査ルーチンを稼動させることによって前記複数デバイス筐体を内部的にテストするステップと、
該複数デバイス筐体が前記テストを通過する時、前記多数の外部通信媒体コネクタを前記外部通信媒体に接続するように前記多数のバイパス回路を制御するステップと、
を含み、
前記内部的にテストするステップは、
デバイスを内部通信媒体から分離するように多数のバイパス回路を制御するステップと、
前記内部通信媒体をテストするステップと、
前記内部通信媒体がテストを通過する時、各デバイス毎に、当該デバイスを前記内部通信媒体に接続するようにバイパス回路を制御し、当該デバイスをテストするステップと、
デバイスが前記テストを通過しない場合、バイパス回路を制御して、そのデバイスを前記内部通信媒体から分離するようにバイパス回路を制御するステップと、
当該複数デバイス筐体のテストが成功したという標識を返すステップと、
前記内部通信媒体が前記テストを通過しない場合、当該複数デバイス筐体のテストが失敗したという標識を返すステップと、を含む、複数デバイス筐体のテスト方法。
【請求項２】
前記外部通信媒体及び前記内部通信媒体の両方がファイバ・チャンネル仲裁ループの一部である、請求項１記載の方法。
【請求項３】
該複数デバイス筐体を外部通信媒体から分離するため多数の外部通信媒体コネクタをバイパスするように多数のバイパス回路を制御する前記ステップが、該複数デバイス筐体をファイバ・チャネル仲裁ループの上流部分から分離するため主外部通信媒体コネクタをバイパスするように１つのバイパス回路を制御するステップと、該複数デバイス筐体をファイバ・チャネル仲裁ループの下流部分から分離するため拡張外部通信媒体コネクタをバイパスするように１つのバイパス回路を制御するステップと、を更に含む、請求項２に記載の方法。
【請求項４】
該複数デバイス筐体が２つのファイバ・チャネル仲裁ループに接続されていて、該複数デバイス筐体を外部通信媒体から分離するため多数の外部通信媒体コネクタをバイパスするように多数のバイパス回路を制御する前記ステップが、該複数デバイス筐体を前記２つのファイバ・チャネル仲裁ループの上流部分から分離するため２つの主外部通信媒体コネクタをバイパスするように２つのバイパス回路を制御するステップと、該複数デバイス筐体を前記２つのファイバ・チャネル仲裁ループの下流部分から分離するため２つの拡張外部通信媒体コネクタをバイパスするように２つのバイパス回路を制御するステップと、を更に含む、請求項２に記載の方法。
【請求項５】
内部通信媒体をテストする前記ステップが、前記ファイバ・チャンネル仲裁ループの内部部分の周囲にループ初期設定プリミティブを送り出すステップを含む、請求項２に記載の方法。
【請求項６】
デバイスをテストする前記ステップが、前記ファイバ・チャンネル仲裁ループの内部部分の周囲にループ初期設定プリミティブを送り出すステップを含む、請求項２に記載の方法。
【請求項７】
デバイスをテストする前記ステップが、デバイスにコマンドを発信して、該デバイスに自己診断を実行させ、該デバイスに関する情報を該デバイスが送信するように求めるステップを更に含む、請求項６に記載の方法。
【請求項８】
デバイスに発信される前記コマンドがＳＣＳＩ筐体サービス・コマンドである、請求項７に記載の方法。
【請求項９】
複数のデバイスを内包する複数デバイス筐体をテストする方法であって、
デバイスを内部通信媒体から分離するように多数のバイパス回路を制御するステップと、
前記内部通信媒体がテストを通過する時、各デバイス毎に、当該デバイスを前記内部通信媒体に接続するようにバイパス回路を制御し、当該デバイスをテストするステップと、
デバイスが前記テストを通過しない場合、バイパス回路を制御して、そのデバイスを前記内部通信媒体から分離するようにバイパス回路を制御するステップと、
当該複数デバイス筐体のテストが成功したという標識を返すステップと、
前記内部通信媒体が前記テストを通過しない場合、当該複数デバイス筐体のテストが失敗したという標識を返すステップと、を含む複数デバイス筐体のテスト方法。
【請求項１０】
該複数デバイス筐体の動作の間にデバイスが誤動作する時、内部通信媒体からそのデバイスを分離するようにバイパス回路を制御しるステップを更に含む、請求項９に記載の方法。
【請求項１１】
自己検査機能を持つ複数デバイス筐体であって、
内部ファイバ・チャンネル仲裁ループ通信媒体と、
前記内部ファイバ・チャンネル仲裁ループ通信媒体によって相互接続される多数のデバイスと、
該複数デバイス筐体を外部ファイバ・チャンネル仲裁ループ通信媒体に接続する多数のコネクタと、
デバイスを内部通信媒体から分離し、デバイスを内部ファイバ・チャンネル仲裁ループ通信媒体に接続するように制御されることができるバイパス回路と、
前記コネクタを外部ファイバ・チャンネル仲裁ループ通信媒体から分離し、前記コネクタを外部通信媒体に接続するように制御されることができるバイパス回路と、
プロセッサと、
前記内部ファイバ・チャンネル仲裁ループ通信媒体および前記多数のデバイスをテストし、自己検査の間該複数デバイス筐体を外部ファイバ・チャンネル仲裁ループ通信媒体から分離し、前記デバイスを内部ファイバ・チャンネル仲裁ループ通信媒体から分離するようにバイパス回路を制御する機能を持つ、前記プロセッサ上で稼働する自己診断ルーチンと、を備える複数デバイス筐体。
【請求項１２】
前記多数のデバイスが、ファイバ・チャンネル仲裁ループに接続される他のデバイスとデータおよび制御情報を交換するデバイスを含む、請求項１１に記載の複数デバイス筐体。
【請求項１３】
前記自己診断ルーチンが、該複数デバイス筐体を外部通信媒体から分離するため多数のコネクタをバイパスするように多数のバイパス回路を制御し、該複数デバイス筐体をテストし、該複数デバイス筐体が前記テストを通過する時、前記多数のコネクタを前記外部通信媒体に接続するように多数のバイパス回路を制御する、請求項１２に記載の複数デバイス筐体。
【請求項１４】
該複数デバイス筐体を外部通信媒体から分離した後、前記自己診断ルーチンが、デバイスを内部通信媒体から分離するように多数のバイパス回路を制御するステップと、前記内部通信媒体をテストするステップと、前記内部通信媒体がテストを通過する時、各デバイス毎に、当該デバイスを前記内部通信媒体に接続するようにバイパス回路を制御し、当該デバイスをテストするステップと、デバイスが前記テストを通過しない場合、バイパス回路を制御して、そのデバイスを前記内部通信媒体から分離するようにバイパス回路を制御するステップと、当該複数デバイス筐体のテストが成功したという標識を返すステップと、前記内部通信媒体が前記テストを通過しない場合、当該複数デバイス筐体のテストが失敗したという標識を返すステップとによって該複数デバイス筐体をテストするステップとによって該複数デバイス筐体をテストする、請求項１３に記載の複数デバイス筐体。
【請求項１５】
該複数デバイス筐体を外部通信媒体から分離するため多数の外部通信媒体コネクタをバイパスするように多数のバイパス回路を制御する前記ステップが、該複数デバイス筐体をファイバ・チャネル仲裁ループの上流部分から分離するため主外部通信媒体コネクタをバイパスするように１つのバイパス回路を制御するステップと、該複数デバイス筐体をファイバ・チャネル仲裁ループの下流部分から分離するため拡張外部通信媒体コネクタをバイパスするように１つのバイパス回路を制御するステップとを含む、請求項１４に記載の複数デバイス筐体。
【請求項１６】
内部通信媒体をテストする前記ステップが、ファイバ・チャンネル仲裁ループの内部部分の周囲にループ初期設定プリミティブを送信するステップを含む、請求項１５に記載の複数デバイス筐体。
【請求項１７】
デバイスをテストする前記ステップが、ファイバ・チャンネル仲裁ループの内部部分の周囲にループ初期設定プリミティブを送信するステップを含む、請求項１５に記載の複数デバイス筐体。
【請求項１８】
デバイスをテストする前記ステップが、デバイスにコマンドを発信して、該デバイスに自己診断を実行させ、該デバイスに関する情報を該デバイスが送信するように求めるステップを更に含む、請求項１７に記載の複数デバイス筐体。